(57)【要約】【課題】番組再生装置が放送番組に含まれる広告を再生しているときに、その広告とは異なる広告を再生する。【解決手段】スマートフォン（１）は、テレビ装置（１００）において再生されている録画番組に挿入された旧ＣＭとは異なる新ＣＭを取得する広告取得部（２４）と、テレビ装置（１００）における上記旧ＣＭの再生開始時刻から再生終了時刻までの期間、上記新ＣＭを再生する広告再生処理部（２６）と、を備える。【選択図】図１
2014204401.tif 000002
【特許請求の範囲】
【請求項１】
第１の広告が挿入された放送番組を再生する番組再生装置とともに動作する広告再生装置であって、
上記放送番組における、上記第１の広告の時間軸上の先頭位置および末尾位置を特定可能なタイムスケジュール情報を取得するタイムスケジュール情報取得手段と、
上記第１の広告とは異なる第２の広告を取得する広告取得手段と、
上記タイムスケジュール情報に基づいて特定された上記先頭位置から上記末尾位置までの区間の上記放送番組を上記番組再生装置が再生する期間、上記第２の広告を再生する広告再生手段と、を備えていることを特徴とする広告再生装置。
【請求項２】
上記番組再生装置において再生されている上記放送番組の時間軸上の再生位置を特定可能な再生位置情報を取得する再生位置情報取得手段をさらに備え、
上記広告再生手段は、上記再生位置情報取得手段が取得した上記再生位置情報によって特定される上記再生位置に基づいて、上記第２の広告の再生を制御することを特徴とする請求項１に記載の広告再生装置。
【請求項３】
上記第２の広告を上記番組再生装置に送信して、当該第２の広告を上記第１の広告の代わりに上記番組再生装置に再生させる広告送信手段をさらに備えていることを特徴とする請求項１または２に記載の広告再生装置。
【請求項４】
上記広告取得手段は、上記第１の広告の新しいバージョンあるいは上記第１の広告の続編を上記第２の広告として取得することを特徴とする請求項１から３の何れか１項に記載の広告再生装置。
【請求項５】
ユーザの広告に対する嗜好を示す嗜好情報を取得する嗜好情報取得手段をさらに備え、
上記広告取得手段は、上記嗜好情報に適合する広告を上記第２の広告として取得することを特徴とする請求項１から４の何れか１項に記載の広告再生装置。
【請求項６】
上記広告取得手段は、上記第１の広告の時間軸上の先頭位置から末尾位置までの時間と再生時間が一致する広告を上記第２の広告として取得することを特徴とする請求項１から５の何れか１項に記載の広告再生装置。
【請求項７】
請求項１から６の何れか１項に記載の広告再生装置とともに動作する番組再生装置。
【請求項８】
第１の広告が挿入された放送番組を再生する番組再生装置とともに動作する広告再生装置の制御方法であって、
上記放送番組における、上記第１の広告の時間軸上の先頭位置および末尾位置を特定可能なタイムスケジュール情報を取得するタイムスケジュール情報取得ステップと、
上記第１の広告とは異なる第２の広告を取得する広告取得ステップと、
上記タイムスケジュール情報取得ステップにて取得した上記タイムスケジュール情報に基づいて特定された上記先頭位置から上記末尾位置までの区間の上記放送番組を上記番組再生装置が再生する期間、上記広告取得ステップにて取得した上記第２の広告を再生する広告再生ステップと、を含むことを特徴とする広告再生装置の制御方法。
【請求項９】
請求項１から６のいずれか１項に記載の広告再生装置としてコンピュータを機能させるためのプログラムであって、コンピュータを上記各手段として機能させるためのプログラム。
【発明の詳細な説明】
【技術分野】
【０００１】
本発明は、放送番組を再生する番組再生装置とともに動作する広告再生装置等に関する。
【背景技術】
【０００２】
従来、テレビ等の番組再生装置とともに動作する携帯端末が種々提案されている。
【０００３】
特許文献１には、携帯端末からの情報を、該携帯端末から離れたビデオスクリーンに表示させる技術が開示されている。特許文献２には、テレビのリモートコントローラとして使用可能な携帯端末に表示される映像をテレビに表示させる技術が開示されている。特許文献３には、携帯端末が実行すべき電子メールの送信処理をテレビに代行させる技術が開示されている。特許文献４には、携帯端末に着信した電子メールをテレビに表示させる技術が開示されている。
【０００４】
また、特許文献５には、情報サーバに番組スポンサーのＣＭ（例えば番組中で取り扱われているものよりもさらに詳しいＣＭ）を蓄積しておき、これをテレビの番組放送と並行して、インターネット経由で視聴者の携帯端末に直接配信する技術が開示されている。
【先行技術文献】
【特許文献】
【０００５】
【特許文献１】特表２００６−５２３４１１号公報（２００６年１０月１２日公表）
【特許文献２】特開２００８−１０９３４１号公報（２００８年５月８日公開）
【特許文献３】特開２０１１−２４４４１６号公報（２０１１年１２月１日公開）
【特許文献４】特開平１１−３２８０５６号公報（１９９９年１１月３０日公開）
【特許文献５】特開２００３−２３４７０９号公報（２００３年８月２２日公開）
【発明の概要】
【発明が解決しようとする課題】
【０００６】
テレビで流れるＣＭ（広告）は、番組の視聴者（ユーザ）にとってあまり興味のないものであることも多い。特に、録画番組は、その番組を録画したときの古いＣＭを含む。古いＣＭは、既に販売を終了した製品を広告するものであったり、ユーザが見飽きたものであったりする。
【０００７】
ここで、特許文献５の技術によれば、携帯端末は、テレビで流れるＣＭよりもさらに詳しいＣＭを取得することができる。
【０００８】
しかしながら、特許文献５には、取得したＣＭを再生するタイミングを携帯端末上で制御する方法について記載されていない。このため、特許文献５の技術は、ユーザにとってあまり興味のないＣＭがテレビで流れているというまさにそのタイミングで、テレビで流れているＣＭとは異なるＣＭを視聴できるようにするものではない。これを実現するためには、ユーザは、テレビでＣＭが流れているときに自ら携帯端末を操作して取得したＣＭを再生させる必要がある。このような作業を、テレビでＣＭが流れている短時間に行うことは、ユーザとって大きな負担となる。
【０００９】
本発明は上記問題点に鑑みなされたものであり、その目的は、番組再生装置が放送番組に含まれる広告を再生しているときに、その広告とは異なる広告を再生することができる広告再生装置等を提供することにある。
【課題を解決するための手段】
【００１０】
上記の課題を解決するために、本発明の一態様に係る広告再生装置は、第１の広告が挿入された放送番組を再生する番組再生装置とともに動作する広告再生装置であって、上記放送番組における、上記第１の広告の時間軸上の先頭位置および末尾位置を特定可能なタイムスケジュール情報を取得するタイムスケジュール情報取得手段と、上記第１の広告とは異なる第２の広告を取得する広告取得手段と、上記タイムスケジュール情報に基づいて特定された上記先頭位置から上記末尾位置までの区間の上記放送番組を上記番組再生装置が再生する期間、上記第２の広告を再生する広告再生手段と、を備えている。
【００１１】
また、本発明の一態様に係る広告再生装置の制御方法は、第１の広告が挿入された放送番組を再生する番組再生装置とともに動作する広告再生装置の制御方法であって、上記放送番組における、上記第１の広告の時間軸上の先頭位置および末尾位置を特定可能なタイムスケジュール情報を取得するタイムスケジュール情報取得ステップと、上記第１の広告とは異なる第２の広告を取得する広告取得ステップと、上記タイムスケジュール情報に基づいて特定された上記先頭位置から上記末尾位置までの区間の上記放送番組を上記番組再生装置が再生する期間、上記第２の広告を再生する広告再生ステップと、を含む。
【発明の効果】
【００１２】
本発明の一態様によれば、番組再生装置上で広告が再生されているタイミングで、その広告とは異なる広告を再生することができるという効果を奏する。
【図面の簡単な説明】
【００１３】
【図１】本発明の一実施形態に係るスマートフォンの要部構成を示すブロック図である。
【図２】上記実施形態に係るテレビ装置の要部構成を示すブロック図である。
【図３】上記実施形態に係る広告サーバの要部構成を示すブロック図である。
【図４】上記実施形態に係る広告提示システムの構成を示す概略図である。
【図５】上記スマートフォンおよび上記テレビ装置の表示画面を示す図である。
【図６】上記広告提示システムにおいて送受信されるデータのデータ構造を示すテーブルである。
【図７】上記広告提示システムにおいて実行される処理の流れの一例を示すシーケンス図である。
【図８】本発明の他の実施形態に係るスマートフォンおよびテレビ装置の表示画面を示す図である。
【図９】本発明のさらに他の実施形態に係るスマートフォンおよび広告サーバが記憶するデータのデータ構造を示すテーブルである。
【発明を実施するための形態】
【００１４】
≪実施形態１≫
以下、本発明の一実施形態について、図１〜図７に基づいて詳細に説明する。
【００１５】
〔広告提示システム６００の構成〕
図４に基づいて、本実施形態に係る広告提示システム６００の構成について説明する。図４は、スマートフォン１、テレビ装置１００、テレビメタ情報サーバ２００、および広告サーバ３００を含む広告提示システム６００の構成を示す概略図である。
【００１６】
図示のように、本実施形態に係るスマートフォン１とテレビ装置１００とは通信可能に接続されている。また、テレビメタ情報サーバ２００および広告サーバ３００は、インターネット４００に接続されており、スマートフォン１からインターネット４００を経由してアクセスできるようになっている。
【００１７】
以下、広告提示システム６００において実行される処理の概略を説明する。
【００１８】
まず、テレビ装置１００は、録画番組５０１の再生を開始したとき、録画番組５０１の番組情報Ｍ１をスマートフォン１に送信する。番組情報Ｍ１とは、録画番組５０１を特定するための情報である。なお、この録画番組５０１には、番組を録画したときのＣＭ（以下、旧ＣＭと称する）が番組本編の合間に挿入されている。
【００１９】
次に、スマートフォン１は、上記番組情報Ｍ１をテレビメタ情報サーバ２００に送信する。そして、テレビメタ情報サーバ２００は、上記番組情報Ｍ１によって特定される放送番組（すなわち、録画番組５０１）に対応するテレビメタ情報（または、テレビメタデータ）Ｍ３をスマートフォン１に送信する。
【００２０】
ここで、テレビメタ情報Ｍ３とは、放送番組と対応付けて、番組ジャンル、出演者、ＣＭのスポンサー（広告主）、タイムスケジュールなどの情報が記録されたデータである。テレビメタ情報Ｍ３を参照すれば、番組の放送内容、ＣＭの開始時刻、終了時刻などを把握することができる。なお、このテレビメタ情報Ｍ３の詳細については後述する。
【００２１】
続いて、スマートフォン１は、広告要求情報Ｍ４を広告サーバ３００に送信する。広告要求情報Ｍ４とは、広告サーバ３００に要求するＣＭの属性を示す情報である。そして、広告サーバ３００は、広告要求情報Ｍ４に適合するＣＭをデータベースから検索し、適合したＣＭ（以下、新ＣＭと称する）のデータＭ５をスマートフォン１に送信する。
【００２２】
一方、テレビ装置１００は、定期的に、録画番組５０１の現在の再生位置（再生位置情報）Ｍ６をスマートフォン１に送信する。
【００２３】
スマートフォン１は、取得した再生位置Ｍ６と、テレビメタ情報Ｍ３に含まれるタイムスケジュールとに基づいて、テレビ装置１００が旧ＣＭの再生を開始する再生開始時刻を特定する。そして、スマートフォン１は、現在時刻が再生開始時刻になったとき、新ＣＭの再生を開始する。
【００２４】
図５は、再生開始時刻におけるスマートフォン１およびテレビ装置１００の表示画面を示す図である。図示の通り、テレビ装置１００が旧ＣＭ５０３を再生するのと同時刻に、スマートフォン１は新ＣＭ５０２を再生する。なお、同図では、スマートフォン１は、ＣＭを視聴しやすいように横向きの姿勢になっており、新ＣＭ５０２も横長に表示されている。また、同図では、テレビ装置１００は旧ＣＭ５０３と並べてスマートフォン１の表示画面５００を表示しているが、表示画面５００を表示せず、旧ＣＭ５０３を全画面で表示してもよい。
【００２５】
このように、広告提示システム６００によれば、スマートフォン１が広告サーバ３００から新たに取得した新ＣＭを再生するタイミングと、テレビ装置１００が録画番組に含まれる旧ＣＭを再生するタイミングとを同期させることができる。
【００２６】
〔スマートフォン１の構成〕
図１は、スマートフォン１の要部構成を示す機能ブロック図である。また、同図では、広告提示システム６００として、テレビ装置１００、テレビメタ情報サーバ２００、および広告サーバ３００についても併せて示している。
【００２７】
なお、広告提示システム６００に含まれるスマートフォン１は、このようなスマートフォンに限定されず、広告を再生する機能を備えたあらゆる情報処理装置に適用可能である。例えば、スマートフォン１の代わりとして、携帯電話、タブレットＰＣ、またはテレビ装置１００のリモートコントローラなどの情報処理装置を広く採用することができる。
【００２８】
スマートフォン１は、図示の通り、制御部１０、記憶部１１、表示部１２、および音声出力部１３を備えている。
【００２９】
記憶部１１は、フラッシュメモリなどの不揮発性の記憶装置からなり、広告タイムテーブル３０、広告データ３１、及び、ユーザ属性情報３２を記憶する。なお、記憶部１１は、ＲＡＭ（Random Access Memory）などの揮発性の記憶領域を有していてもよい。この領域は制御部１０の作業領域として利用される。
【００３０】
表示部１２は、スマートフォン１によって処理される情報、画像、映像などを表示する。表示部１２は、例えば、液晶パネル、有機ＥＬパネルなどのフラットディスプレイパネルである。
【００３１】
音声出力部１３は、スマートフォン１によって処理される音声を出力する。音声出力部１３は、例えばスピーカである。
【００３２】
なお、スマートフォン１は、テレビ装置１００を操作するためのリモートコントローラとしての機能を備えていてもよい。この場合、スマートフォン１は、図示しない操作部を内蔵しており、該操作部にて受け付けるユーザ操作に基づいて、操作信号をテレビ装置１００に送信する。また、スマートフォン１は、図４及び図５に示すように、表示部１２に表示される表示画面５００を、テレビ装置１００に送信する機能を有していてもよい。これにより、録画番組５０１と並べて、スマートフォン１の表示画面５００をテレビ装置１００で閲覧することができる。
【００３３】
制御部１０は、スマートフォン１全体を統括して制御するものであり、ＣＰＵ（Central Processing Unit）などで構成することができる。制御部１０は、機能ブロックとして、番組情報取得部２０、再生位置取得部２１、テレビメタ情報取得部２２、広告要求情報送信部２３、広告取得部２４、広告再生時間管理部２５、広告再生処理部２６、および広告置換情報送信部２７を備えている。図１に示されている部材のうち、実施形態１で説明しない部材は、実施形態１のスマートフォン１には、必ずしも備えられていない。
【００３４】
番組情報取得部２０は、テレビ装置１００が再生を開始した録画番組を特定するための番組情報Ｍ１をテレビ装置１００から取得し、取得した番組情報Ｍ１をテレビメタ情報取得部２２に出力する。
【００３５】
この番組情報Ｍ１の一例を図６の（ａ）に示す。本実施形態では、番組情報Ｍ１は、図示の通り、再生中の録画番組の番組名（図示の録画番組名）、録画番組が放送された日時（図示の放送日時）、および、録画番組を放送する放送局の名称（図示の放送局名）を項目として含んでいる。
【００３６】
再生位置取得部２１は、テレビ装置１００が再生中の録画番組の現在の再生位置Ｍ６を取得し、取得した再生位置Ｍ６を広告再生時間管理部２５に出力する。この再生位置Ｍ６は、再生されている録画番組の時間軸上の現在位置を示すものである。例えば、録画番組の再生が開始された時点での再生位置Ｍ６は「０：００：００」である（図６の（ａ）参照）。一方、録画番組が１０分間だけ再生された時点での再生位置Ｍ６は「０：１０：００」となる。このように、再生位置Ｍ６は、テレビ装置１００で録画番組の再生が開始された時点を基準とした、相対時刻として表現される。なお、再生位置Ｍ６は、テレビ装置１００から定期的に送信される。
【００３７】
テレビメタ情報取得部２２は、番組情報取得部２０が取得した番組情報Ｍ１をテレビメタ情報サーバ２００に送信することにより、当該番組情報Ｍ１により特定される放送番組（つまり、テレビ装置１００において現在再生中の録画番組）に対応するテレビメタ情報Ｍ３を取得する。そして、取得したテレビメタ情報Ｍ３を広告要求情報送信部２３および再生位置取得部２１に出力する。
【００３８】
テレビメタ情報取得部２２が取得したテレビメタ情報Ｍ３の一例を図６の（ｂ）に示す。図示の通り、テレビメタ情報Ｍ３は、放送番組に含まれる番組本編およびＣＭ（旧ＣＭ）のタイムスケジュール、ならびに、ＣＭごとにスポンサーを特定する情報を項目として含む。タイムスケジュールとは、番組本編およびＣＭのそれぞれの開始位置および終了位置を特定するための情報である。開始位置および終了位置は、放送番組の放送開始日時を基準（すなわち、「０：００：００」）とした開始時刻および終了時刻として表現される。なお、上記タイムスケジュールは、例えば、実際に放送された絶対時刻（例えば、「１７：００：００」）として表現されてもよい。あるいは、放送番組が単位データ（フレームなど）の集合によって構成されている場合、上記タイムスケジュールは、当該単位データの数として表現されていてもよい。
【００３９】
広告要求情報送信部２３は、テレビメタ情報取得部２２が取得したテレビメタ情報Ｍ３に含まれるタイムスケジュールから、放送番組に含まれる全ての旧ＣＭの再生時間を抽出する。例えば、図６の（ｂ）に示すＣＭ−Ａの場合、開始位置が「０：１４：００」、終了位置が「０：１４：１５」であるので、差分の１５秒間をこの旧ＣＭの再生時間として抽出する。そして、抽出した旧ＣＭの再生時間と、旧ＣＭのスポンサーとを対応付けた情報を広告要求情報Ｍ４として広告サーバ３００に送信する。
【００４０】
広告取得部２４は、広告サーバ３００から、上記広告要求情報Ｍ４に適合するＣＭ（新ＣＭ）のデータＭ５を取得し、広告データ３１として記憶部１１に格納すると共に、広告再生処理部２６および広告置換情報送信部２７に出力する。新ＣＭは、上記広告要求情報Ｍ４に適合するＣＭであって、広告サーバ３００において検索されたものである。つまり、広告取得部２４は、再生時間およびスポンサーが旧ＣＭと一致するＣＭを新ＣＭとして取得することになる。
【００４１】
また、広告取得部２４は、上記タイムスケジュールを新ＣＭに置換した広告タイムテーブル３０を生成して、記憶部１１に格納する。広告タイムテーブル３０の一例を図６の（ｃ）に示す。図示の通り、広告タイムテーブル３０には、新ＣＭと、対応する旧ＣＭの開始位置および終了位置とが対応付けられている。
【００４２】
なお、広告取得部２４は、旧ＣＭに適合するＣＭが、広告データ３１として記憶部１１に既に記憶されている場合、広告サーバ３００からＣＭを取得する代わりに、記憶されているＣＭを新ＣＭとしてもよい。
【００４３】
テレビメタ情報取得部２２がテレビメタ情報Ｍ３を取得するタイミング、および、広告要求情報送信部２３が新ＣＭを取得するタイミングは任意に設定してもよい。ただし、テレビメタ情報（旧ＣＭのタイムスケジュール）Ｍ３および新ＣＭは、テレビ装置１００において旧ＣＭの再生が開始されるまでに取得する必要があるため、テレビ装置１００から録画番組の再生が開始されたことを通知された時点で、速やかに取得処理を開始することが望ましい。
【００４４】
広告再生時間管理部２５は、再生位置取得部２１が取得した再生位置Ｍ６と広告タイムテーブル３０とに基づいて、スマートフォン１が新ＣＭの再生を開始する再生開始時刻、および、新ＣＭの再生を終了する再生終了時刻を算出する。
【００４５】
詳細には、広告再生時間管理部２５は、上記広告タイムテーブル３０に含まれる新ＣＭの開始位置から、現在の再生位置Ｍ６を引いた差分を現在時刻に加えた時刻を再生開始時刻として取得する。例えば、新ＣＭの開始位置が１４分であり、現在の再生位置Ｍ６が１０分であった場合、広告再生時間管理部２５は、現在時刻から４分後を再生開始時刻とする。同様にして、広告再生時間管理部２５は、新ＣＭの終了位置および現在の再生位置Ｍ６に基づき、再生終了時刻を算出する。なお、再生終了時刻の場合は、再生開始時刻にＣＭの再生時間を加えることにより算出してもよい。
【００４６】
このようにして算出された再生開始時刻および再生終了時刻は、テレビ装置１００で旧ＣＭが再生される時刻と一致している。つまり、テレビ装置１００においても、算出された再生開始時刻に旧ＣＭが再生される。従って、広告再生時間管理部２５は、テレビ装置１００が旧ＣＭの再生を開始する時刻および終了する時刻と、スマートフォン１が新ＣＭの再生を開始する時刻とを一致させる。なお、広告再生時間管理部２５は、テレビ装置１００から再生位置Ｍ６を取得する度に、再生開始時刻を調整することが望ましい。
【００４７】
そして、広告再生時間管理部２５は、現在時刻が広告タイムテーブル３０に含まれるいずれかの新ＣＭの再生開始時刻に到達したとき、そのことを広告再生処理部２６に通知する。
【００４８】
広告再生処理部２６は、広告再生時間管理部２５から新ＣＭの再生開始時刻になったことを示す通知を受けたとき、対応する新ＣＭを広告データ３１から読み出して、表示部１２および音声出力部１３を介して再生する。上述の通り、これと同じタイミングで、テレビ装置１００においても、録画番組に含まれる旧ＣＭが再生されている。そして、広告再生処理部２６は、現在時刻が再生終了時刻に到達したときに新ＣＭの再生を終了する。
【００４９】
〔テレビ装置１００の構成〕
図２は、テレビ装置１００の要部構成を示す機能ブロック図である。また、同図では、スマートフォン１についても併せて示している。
【００５０】
なお、広告提示システム６００に含まれるテレビ装置１００はこのようなテレビ装置に限定されず、放送番組を再生する機能を備えたあらゆる情報処理装置に適用可能である。例えば、テレビ装置１００の代わりとして、ワンセグ放送に対応した携帯電話、スマートフォン、もしくはタブレットＰＣ、またはテレビチューナーを搭載したパソコンなどの情報処理装置を広く採用することができる。
【００５１】
テレビ装置１００は、図示の通り、制御部１１０、記憶部１１１、音声出力部１１２、および表示部１１３を備えている。テレビ装置１００の各部の機能は、図１に示すスマートフォン１の記憶部１１、表示部１２、音声出力部１３の機能と同様であるので、その説明を省略あるいは簡略化する。
【００５２】
記憶部１１１は、テレビ装置１００により過去に録画された番組を記憶する記憶装置であって、録画番組データ１３０および番組情報１３１を記憶する。
【００５３】
制御部１１０は、テレビ装置１００全体を統括して制御するものであり、機能ブロックとして、録画番組再生処理部１２０、番組情報送信部１２１、再生位置送信部１２２、広告置換情報取得部１２３、および置換処理部１２４を備えている。図２に示されている部材のうち、実施形態１で説明しない部材は、実施形態１のテレビ装置１００には、必ずしも備えられていない。
【００５４】
録画番組再生処理部１２０は、記憶部１１１から録画番組データ１３０を読み出し、録画番組データ１３０が示す録画番組を再生する。再生中の録画番組の映像は表示部１１３に表示され、音声は音声出力部１１２から出力される。なお、録画番組再生処理部１２０は、テレビ装置１００のリモートコントローラとしての機能を備えたスマートフォン１からの操作信号を受け付けて録画番組の再生を開始してもよいし、図示しない操作部にて受け付けるユーザの指示に基づいて、録画番組の再生を開始してもよい。
【００５５】
番組情報送信部１２１は、録画番組再生処理部１２０が再生を開始した録画番組に対応する番組情報１３１を記憶部１１１から読み出し、番組情報Ｍ１としてスマートフォン１に送信する。番組情報Ｍ１は、上述の通り、再生中の録画番組を特定するための情報であって、例えば、番組名、放送日時、放送局名などである（図６の（ａ）参照）。
【００５６】
再生位置送信部１２２は、録画番組再生処理部１２０が現在再生している録画番組の再生位置Ｍ６をスマートフォン１に定期的に送信する。上述の通り、この再生位置Ｍ６は、再生中の録画番組の時間軸上の現在位置を示すものである。また、再生中の録画番組に対して早送り、巻き戻し、停止などのユーザ操作がなされた場合、現在の再生位置Ｍ６も変化する。このとき、再生位置送信部１２２は、変化後の再生位置Ｍ６をスマートフォン１に送信する。
【００５７】
なお、テレビ装置１００は、スマートフォン１から送信された表示画面５００を表示部１２に表示させる機能を有していてもよい（図４及び図５参照）。
【００５８】
〔広告サーバ３００の構成〕
図３は、広告サーバ３００の要部構成を示す機能ブロック図である。また、同図では、スマートフォン１についても併せて示している。
【００５９】
広告サーバ３００は、最新のＣＭを含む複数のＣＭが登録されたサーバであって、図示の通り、制御部３１０および広告データベース３１１を備えている。
【００６０】
広告データベース３１１は、スポンサーによって登録された複数のＣＭを記憶するデータベースである。広告データベース３１１は、広告属性情報３３０および広告データ３３１を記憶する。
【００６１】
制御部３１０は、広告サーバ３００全体を統括して制御するものであり、機能ブロックとして、広告要求情報取得部３２０、広告検索部３２１、および広告送信部３２２を備えている。
【００６２】
広告要求情報取得部３２０は、スマートフォン１から広告要求情報Ｍ４を取得する。上述の通り、広告要求情報Ｍ４は、旧ＣＭの再生時間（１５秒、３０秒など）および旧ＣＭのスポンサー（会社Ａ、会社Ｂなど）を含む情報である。
【００６３】
広告検索部３２１は、広告要求情報取得部３２０が取得した広告要求情報Ｍ４に適合するＣＭを広告属性情報３３０を参照して検索し、適合したＣＭを広告送信部３２２に通知する。広告属性情報３３０は、ＣＭの属性を示す情報であって、予め、各ＣＭと対応付けて記憶されている。本実施形態では、広告属性情報３３０は、再生時間とスポンサーとが各ＣＭに対応付けられている。従って、広告検索部３２１は、広告要求情報Ｍ４が示すスポンサー及び再生時間と一致するＣＭを広告属性情報３３０から検索し、一致したＣＭを広告送信部３２２に通知する。
【００６４】
広告送信部３２２は、広告データ３３１を読み出して、広告検索部３２１によって通知されたＣＭ（新ＣＭ）のデータＭ５をスマートフォン１に送信する。このとき、広告送信部３２２は、スマートフォン１に送信された新ＣＭのスポンサーに対して、広告料を発生させるようになっていてもよい。あるいは、スマートフォン１において新ＣＭが再生されたときに、そのことを示す情報を受信して、スポンサーに課金するようになっていてもよい。
【００６５】
〔処理の流れ〕
図７は、広告提示システム６００において実行される処理の流れの一例を示すシーケンス図である。
【００６６】
まず、ユーザは、所望の録画番組をテレビ装置１００において選択し、これを受けたテレビ装置１００の録画番組再生処理部１２０は、当該録画番組の再生を開始する（Ｓ１）。そして、番組情報送信部１２１は、上記録画番組の番組情報Ｍ１をスマートフォン１に送信する（Ｓ２）。
【００６７】
続いて、スマートフォン１のテレビメタ情報取得部２２は、取得した番組情報Ｍ１をテレビメタ情報サーバ２００に送信する（Ｓ３；タイムスケジュール情報取得ステップ）。
【００６８】
テレビメタ情報サーバ２００は、送信された番組情報Ｍ１によって特定される放送番組に対応するテレビメタ情報Ｍ３をスマートフォン１に送信する（Ｓ４；タイムスケジュール情報取得ステップ）。
【００６９】
スマートフォン１の広告要求情報送信部２３は、取得したテレビメタ情報Ｍ３に基づいて広告要求情報Ｍ４を生成し、広告サーバ３００に送信する（Ｓ５；広告取得ステップ）。この広告要求情報Ｍ４には、録画番組に含まれる旧ＣＭの再生時間と、旧ＣＭのスポンサーを示す情報とが含まれる。
【００７０】
広告サーバ３００の広告検索部３２１は、取得した広告要求情報Ｍ４に適合するＣＭを広告データベース３１１から検索する（Ｓ６）。そして、広告送信部３２２は、適合したＣＭ（新ＣＭ）をスマートフォン１に送信する（Ｓ７；広告取得ステップ）。これにより、スマートフォン１は、旧ＣＭとスポンサーおよび再生時間が一致するＣＭを新ＣＭとして取得する。
【００７１】
テレビ装置１００の再生位置送信部１２２は、Ｓ１において録画番組の再生を開始した時点から、定期的に、現在の再生位置Ｍ６をスマートフォン１に送信する（Ｓ８）。
【００７２】
スマートフォン１の広告再生時間管理部２５は、上記再生位置Ｍ６および上記テレビメタ情報Ｍ３に含まれるタイムスケジュールに基づいて、新ＣＭの再生開始時刻を調整する（Ｓ９）。そして、現在時刻が再生開始時刻に到達するまでの間（Ｓ１０においてＮＯ）、スマートフォン１は、テレビ装置１００から送信される再生位置Ｍ６に基づき、再生開始時刻を調整する。これにより、例えば、テレビ装置１００が再生している録画番組に対して、早送り、巻き戻し、停止などの操作がなされたとしても、旧ＣＭがテレビ装置１００で再生されるタイミングと、新ＣＭがスマートフォン１で再生されるタイミングとを一致させることができる。なお、スマートフォン１は、上記再生開始時刻と同様にして、再生終了時刻を算出する。
【００７３】
そして、再生開始時刻になったとき（Ｓ１０においてＹＥＳ）、スマートフォン１の広告再生処理部２６は、新ＣＭを再生する（Ｓ１２；広告再生ステップ）。つまり、スマートフォン１は、新ＣＭとして、旧ＣＭと再生時間およびスポンサーが一致するものの、旧ＣＭとは異なるＣＭを再生する。これと同時刻に、テレビ装置１００においても、旧ＣＭが再生される（Ｓ１１）。そして、広告再生処理部２６は、再生終了時刻になったとき、新ＣＭの再生を停止する。
【００７４】
〔変形例１〕
なお、本実施形態では、旧ＣＭのスポンサーと新ＣＭのスポンサーとは同一であるが、本発明の適用範囲はこれに限定されず、スポンサーは互いに異なっていてもよい。ただし、新ＣＭがスマートフォン１で再生されると、テレビ装置１００で再生される旧ＣＭは視聴されない可能性が高い。この状況を旧ＣＭのスポンサーに許容させるためには、旧ＣＭのスポンサーと新ＣＭのスポンサーは、互いに同一である方が望ましい。
【００７５】
〔変形例２〕
また、本実施形態では、旧ＣＭの再生時間と新ＣＭの再生時間は同一であるが、上記のスポンサーの例と同様に、再生時間は互いに異なっていてもよい。この場合、スマートフォン１は、旧ＣＭの再生時間に合わせて、新ＣＭの再生動作を制御してもよい。
【００７６】
例えば、新ＣＭの再生時間が旧ＣＭよりも短い場合、広告再生処理部２６は、新ＣＭを繰り返し再生することにより再生時間の不足分を補う。一方、新ＣＭの再生時間が旧ＣＭよりも長い場合、広告再生処理部２６は、旧ＣＭの再生終了時刻に到達した時点で、再生中の新ＣＭを途中でフェードアウトさせてもよい。
【００７７】
〔変形例３〕
また、本実施形態では、新ＣＭの同期の対象となる旧ＣＭは、録画番組に挿入されていることを前提としていた。一方、旧ＣＭは、放送局からのリアルタイムの放送波に乗った放送番組に挿入されるＣＭであってもよい。
【００７８】
この場合、テレビ装置１００は、放送局からアンテナを介して受信した放送番組（ライブ放送番組）を出力（再生）する。また、テレビメタ情報Ｍ３に含まれるタイムスケジュールは、放送番組の放送開始時点で、テレビメタ情報サーバ２００（あるいは、当該放送番組の放送局など）からリアルタイムで取得できるようになっていることを前提としている。スマートフォン１は、取得したタイムスケジュールに基づいて新ＣＭの再生時刻を調整することにより、リアルタイムで放送される放送番組で流れるＣＭの放送日時に、新ＣＭを再生させることができる。
【００７９】
〔変形例４〕
また、スマートフォン１およびテレビ装置１００の機能は、１つの装置に統合されていてもよい。一例としては、スマートフォン１が、録画番組を再生する再生部（図示せず）をさらに備えている構成などが考えられる。この構成によれば、スマートフォン１は、再生部が旧ＣＭを再生するタイミングで、新たに取得した新ＣＭを再生することができる。なお、この場合、スマートフォン１は、新ＣＭを旧ＣＭと並べて表示してもよいし、旧ＣＭに代えて表示してもよい。
【００８０】
≪実施形態２≫
本発明の広告提示システム６００の他の実施形態について、図１、図２、及び図８に基づいて説明すれば、以下のとおりである。
【００８１】
図８は、本実施形態に係るスマートフォン１およびテレビ装置１００の表示画面を示す図である。
【００８２】
図８に示すように、本実施形態に係るスマートフォン１は、広告サーバ３００から取得した新ＣＭをテレビ装置１００に送信して、旧ＣＭの代わりに新ＣＭを再生させる。これにより、テレビ装置１００で再生される録画番組のうち番組本編を除いたＣＭの部分のみが、スマートフォン１から新たに取得したＣＭに置換されて再生されることになる。
【００８３】
本実施形態に係るスマートフォン１は、図１に示す広告置換情報送信部２７を備えている。広告置換情報送信部２７は、取得した新ＣＭと広告タイムテーブル３０とを含む広告置換情報Ｍ７をテレビ装置１００に送信する。
【００８４】
本実施形態に係るテレビ装置１００は、図２に示す広告置換情報取得部１２３および置換処理部１２４を備えている。広告置換情報取得部１２３は、広告置換情報Ｍ７をスマートフォン１から取得する。置換処理部１２４は、録画番組再生処理部１２０において再生される旧ＣＭを新ＣＭに置換する。
【００８５】
具体的には、置換処理部１２４は、広告置換情報Ｍ７に含まれる広告タイムテーブル３０から、旧ＣＭの開始位置および終了位置を取得する。そして、取得した旧ＣＭの開始位置および終了位置ならびに現在の録画番組の再生位置Ｍ６に基づき、旧ＣＭの再生開始時刻および再生終了時刻を算出する。そして、録画番組再生処理部１２０に指示して、算出した再生開始時刻および再生終了時刻の期間だけ、録画番組データ１３０に代えて、新ＣＭを再生させる。これにより、スマートフォン１が取得した新ＣＭは、スマートフォン１およびテレビ装置１００の双方において、同時に再生されることになる。
【００８６】
スマートフォン１の広告置換情報送信部２７は、新ＣＭの再生開始時刻になったことを示す通知を広告再生時間管理部２５から受けたときに、スマートフォン１の表示画面（および／または、音声出力）をテレビ装置１００に送信することにより、新ＣＭをテレビ装置１００に再生させてもよい。この画面の切り替えは、例えば、ＷｉＦｉ（登録商標）などを利用した１対１の無線通信による、ディスプレイ表示画面の伝送技術により実現される。
【００８７】
詳細には、広告置換情報送信部２７は、再生開始時刻になったときに、テレビ装置１００に対してスマートフォン１の表示画面を表示する（画面の切り替えを行う）ように指示する。同様に、再生終了時刻になったときに、当該表示画面の表示を終了するように指示すると共に、当該表示画面の送信を停止する。
【００８８】
これにより、テレビ装置１００の表示部１１３（および／または音声出力部１１２）は、旧ＣＭの再生が開始されるタイミングで、スマートフォン１の表示画面に切り替わる。そして、当該表示画面には、スマートフォン１において再生中の新ＣＭが表示されている。したがって、このような構成とすることによっても、テレビ装置１００で再生される旧ＣＭを新ＣＭに置換することができる。
【００８９】
≪実施形態３≫
本発明の広告提示システム６００の他の実施形態について、図１及び図３に基づいて説明すれば、以下のとおりである。
【００９０】
本実施形態に係る広告要求情報Ｍ４は、旧ＣＭのシリーズを特定するシリーズ特定情報をさらに含む。シリーズ特定情報は、取得したテレビメタ情報Ｍ３から抽出される。ここで、「ＣＭのシリーズ」とは、一定の共通点のあるＣＭ群、連作などを指す。同一のシリーズのＣＭは、通常、同一の商品等を広告するものである。
【００９１】
本実施形態に係る広告属性情報３３０は、各ＣＭの再生時間およびスポンサーに加えて、各ＣＭのシリーズを特定する項目をさらに含む。広告サーバ３００の広告検索部３２１は、広告要求情報Ｍ４および広告属性情報３３０を参照し、旧ＣＭと同一のシリーズのＣＭを新ＣＭとして取得する。これにより、スマートフォン１の広告再生処理部２６は、旧ＣＭの新しいバージョン、あるいは、旧ＣＭの続編を新ＣＭとして再生する。
【００９２】
≪実施形態４≫
本発明の広告提示システム６００の他の実施形態について、図１、図３及び図９に基づいて説明すれば、以下のとおりである。
【００９３】
本実施形態に係る広告要求情報Ｍ４を図９の（ａ）に示す。図示の通り、本実施形態に係る広告要求情報Ｍ４は、再生時間およびスポンサーに加えて、番組ジャンル、出演者、年齢、性別、および所在地を項目として含む。
【００９４】
番組ジャンルは、再生中の録画番組のジャンルを特定するための項目であって、例えば、「ニュース番組」、「バラエティ番組」、「ドラマ」などのように指定される。
【００９５】
出演者は、再生中の録画番組に出演している出演者を特定するための項目であって、人物名、芸名などが指定される。
【００９６】
上記番組ジャンルおよび出演者は、テレビメタ情報Ｍ３に含まれる情報であるため、広告取得部２４は、これらの情報をテレビメタ情報Ｍ３から抽出する。
【００９７】
年齢は、ユーザの年齢を特定するための項目であって、例えば、「４０歳」と指定される。
【００９８】
性別は、ユーザの性別を特定するための項目であって、「男」あるいは「女」のいずれかを選択する形式である。
【００９９】
所在地は、ユーザの現在の所在地を特定するための項目であって、例えば「東京都」と都道府県名で指定する形式であってもよいし、「関東地方」と地域名で指定する形式であってもよい。
【０１００】
上記年齢、性別、および所在地は、ユーザによる操作部（図示せず）の操作などを通じて予め入力されており、図１に示すユーザ属性情報３２として記憶部１１に格納されている。なお、所在地の項目については、広告要求情報Ｍ４を生成する際に、スマートフォン１に内蔵されている図示しないＧＰＳ（Global Positioning System）受信部を介して、リアルタイムで取得するようになっていてもよい。
【０１０１】
番組ジャンルおよび出演者のような再生中の録画番組の情報は、ユーザにとって関心がある情報と結びついている可能性が高い。さらに、ユーザの年齢、性別、および所在地に適合したＣＭを取得することで、よりユーザの嗜好に合ったＣＭを提供できると考えられる。以下、上記の番組ジャンル、出演者、年齢、性別、および所在地を嗜好情報と称する。なお、嗜好情報は上述した項目に限定されない。
【０１０２】
スマートフォン１の広告要求情報送信部２３は、嗜好情報を含む広告要求情報Ｍ４を広告サーバ３００に送信する。一方、広告サーバ３００の広告属性情報３３０は、上述した実施形態で参照されたスポンサーおよび再生時間に加えて、ＣＭごとに、上記嗜好情報に対応する項目をさらに含む。広告属性情報３３０の一例を図９の（ｂ）に示す。図９の（ｂ）は、再生時間、スポンサー、出演者、番組ジャンル、推奨年齢層、推奨性別、および放送地区を項目として含む。
【０１０３】
出演者は、そのＣＭの出演者を特定するための項目である。番組ジャンルは、そのＣＭが挿入されるべき放送番組のジャンルを特定するための項目である。推奨年齢層および推奨性別は、そのＣＭによる商品等の宣伝効果が最も高くなる年齢層と性別とを特定する項目である。放送地区は、そのＣＭが放送されるべき地方を特定するための項目である。
【０１０４】
このように、広告属性情報３３０には、予め、広告データベース３１１のＣＭごとに、嗜好に対応する属性が付与されている。なお、広告属性情報３３０は、図９の（ｂ）に示す項目に限定されず、例えば、そのＣＭが広告している商品の種類を示す情報などを含んでいてもよい。
【０１０５】
広告サーバ３００の広告検索部３２１は、他の実施形態と同様にして、広告要求情報Ｍ４に適合するＣＭを広告属性情報３３０から検索する。そして、広告送信部３２２は、新ＣＭとしてスマートフォン１に送信する。その結果、スマートフォン１の広告再生処理部２６は、ユーザの特性にあわせたＣＭ（あるいは、番組宣伝情報、ユーザが好みそうな情報など）を新ＣＭとして再生できる。
【０１０６】
≪実施形態５：ソフトウェアによる実現例≫
スマートフォン１、テレビ装置１００、および広告サーバ３００の制御ブロック（特に制御部１０、制御部１１０、および制御部３１０）は、集積回路（ＩＣチップ）等に形成された論理回路（ハードウェア）によって実現してもよいし、ＣＰＵを用いてソフトウェアによって実現してもよい。
【０１０７】
後者の場合、スマートフォン１、テレビ装置１００、および広告サーバ３００は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭなどを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１０８】
〔まとめ〕
本発明の態様１に係る広告再生装置（スマートフォン１）は、第１の広告（旧ＣＭ５０３）が挿入された放送番組（録画番組）を再生する番組再生装置（テレビ装置１００）とともに動作する広告再生装置であって、上記放送番組における、上記第１の広告の時間軸上の先頭位置（開始位置）および末尾位置（終了位置）を特定可能なタイムスケジュール情報（テレビメタ情報Ｍ３）を取得するタイムスケジュール情報取得手段（テレビメタ情報取得部２２）と、上記第１の広告とは異なる第２の広告（新ＣＭ５０２）を取得する広告取得手段（広告要求情報送信部２３、広告取得部２４）と、上記タイムスケジュール情報に基づいて特定された上記先頭位置から上記末尾位置までの区間の上記放送番組を上記番組再生装置が再生する期間（再生開始時刻から再生終了時刻までの期間）、上記第２の広告を再生する広告再生手段（広告再生時間管理部２５、広告再生処理部２６）と、を備えている。
【０１０９】
本発明の態様８に係る広告再生装置の制御方法は、第１の広告が挿入された放送番組を再生する番組再生装置とともに動作する広告再生装置の制御方法であって、上記放送番組における、上記第１の広告の時間軸上の先頭位置および末尾位置を特定可能なタイムスケジュール情報を取得するタイムスケジュール情報取得ステップ（Ｓ３、Ｓ４）と、上記第１の広告とは異なる第２の広告を取得する広告取得ステップ（Ｓ５、Ｓ７）と、上記タイムスケジュール情報取得ステップにて取得した上記タイムスケジュール情報に基づいて特定された上記先頭位置から上記末尾位置までの区間の上記放送番組を上記番組再生装置が再生する期間、上記広告取得ステップにて取得した上記第２の広告を再生する広告再生ステップ（Ｓ１２）と、を含む。
【０１１０】
上記の構成および方法によれば、上記広告再生装置は、第１の広告のタイムスケジュール情報に基づいて、第１の広告を番組再生装置が再生する期間だけ、取得した第２の広告を再生する。つまり、上記広告再生装置は、番組再生装置において第１の広告が再生されるタイミングに合わせて、新たに取得した第２の広告を再生する。
【０１１１】
よって、上記広告再生装置は、番組再生装置上で広告が再生されているタイミングで、その広告とは異なる広告を再生することができるという効果を奏する。
【０１１２】
本発明の態様２に係る広告再生装置は、上記態様１において、上記番組再生装置において再生されている上記放送番組の時間軸上の再生位置を特定可能な再生位置情報（再生位置Ｍ６）を取得する再生位置情報取得手段（再生位置取得部２１）をさらに備え、上記広告再生手段は、上記再生位置情報取得手段が取得した上記再生位置情報によって特定される上記再生位置に基づいて、上記第２の広告の再生を制御してもよい。
【０１１３】
上記の構成によれば、上記広告再生装置は、番組再生装置において現在再生されている放送番組の再生位置に基づいて、第２の広告の再生を制御する。つまり、上記広告再生装置は、放送番組の再生位置に基づいて、第２の広告が再生するタイミングを前後させる。
【０１１４】
よって、ユーザによって、番組再生装置が再生している番組を早送り、巻き戻し、停止する操作などがなされたとしても、広告再生装置は、第１の広告が番組再生装置上で再生されるタイミングと、第２の広告が広告再生装置上で再生されるタイミングとがずれる状況を回避することができる。
【０１１５】
従って、上記広告再生装置は、番組再生装置が第１の広告を再生するタイミングと、広告再生装置が第２の広告を再生するタイミングとを、常に、一致させることができるという効果を奏する。また、ユーザは、番組再生装置において再生中の放送番組の再生位置を自由自在に変更できるという効果を奏する。
【０１１６】
本発明の態様３に係る広告再生装置は、上記態様１または２において、上記第２の広告を上記番組再生装置に送信して、当該第２の広告を上記第１の広告の代わりに上記番組再生装置に再生させる広告送信手段（広告置換情報送信部２７）をさらに備えていてもよい。
【０１１７】
上記の構成によれば、上記広告再生装置は、第１の広告の代わりに第２の広告を番組再生装置に再生させる。すなわち、本来、番組再生装置で再生される予定であった第１の広告は、広告再生装置によって、新たに取得された第２の広告に置換される。
【０１１８】
従って、上記広告再生装置は、新たに取得した第２の広告を、自装置のみならず番組再生装置にも再生させることができるという効果を奏する。また、ユーザは、新たに取得した第２の広告を、あたかも、放送番組の合間に挿入される通常のＣＭ（第１の広告）のごとく、番組再生装置で視聴することができる。このため、番組再生装置において、ＣＭがスキップされる可能性を低くすることができる。さらに、番組制作者が以前に制作した番組コンテンツを利用して広告料の発生する新たなＣＭを視聴させることができるため、番組制作者にとっても有益である。
【０１１９】
本発明の態様４に係る広告再生装置では、上記態様１から３の何れか１つの態様において、上記広告取得手段は、上記第１の広告の新しいバージョンあるいは上記第１の広告の続編を上記第２の広告として取得してもよい。
【０１２０】
上記の構成によれば、上記広告再生装置が再生する広告は、第１の広告の新しいバージョンあるいは続編となる。
【０１２１】
よって、上記広告再生装置は、番組再生装置で再生される古い広告（第１の広告）に対してユーザが興味を失っていたとしても、その広告と同じシリーズの最新版の広告を視聴させることで、ユーザの関心を引くことができる。これにより、広告のスポンサーは、最新版の広告を用いて、自社製品に対する視聴者の購買意欲を喚起することができる。また、第２の広告は第１の広告に関連しているため、本来の放送番組の特性に合った広告であることを保証できる。
【０１２２】
本発明の態様５に係る広告再生装置は、上記態様１から４の何れか１つの態様において、ユーザの広告に対する嗜好を示す嗜好情報を取得する嗜好情報取得手段（番組情報取得部２０、操作部）をさらに備え、上記広告取得手段は、上記嗜好情報に適合する広告を上記第２の広告として取得してもよい。
【０１２３】
番組再生装置で流れる第１の広告は、幅広い視聴者に向けた画一的な広告である可能性が高いため、ユーザにとって最適な広告ではない可能性が高い。
【０１２４】
そこで、上記の構成とすれば、上記広告再生装置は、嗜好情報に適合する広告を第２の広告として取得する。この嗜好情報には、例えば、ユーザによって予め設定された情報、ユーザの現在位置を示す情報、番組再生装置が現在再生している放送番組の情報などが含まれる。よって、上記広告再生装置は、第２の広告として、例えば、ユーザの特性にあわせたＣＭあるいは番組宣伝情報、ユーザが好みそうな情報などを再生する。
【０１２５】
従って、ユーザは、自身にとって興味のない広告を視聴する時間を省きつつ、嗜好に合った、興味のある広告を効率よく視聴することができる。また、広告のスポンサーは、提供した広告がユーザに飽きられたり、スキップされたりすることが少なくなるため、広告の費用対効果を改善することができる。
【０１２６】
本発明の態様６に係る広告再生装置では、上記態様１から５の何れか１つの態様において、上記広告取得手段は、上記第１の広告の時間軸上の先頭位置から末尾位置までの時間と再生時間が一致する広告を上記第２の広告として取得してもよい。
【０１２７】
上記の構成によれば、上記広告再生装置は、第１の広告と再生時間（例えば、１５秒、３０秒などの時間区分）が等しい広告を第２の広告として取得する。
【０１２８】
よって、広告再生装置において第２の広告の再生がまだ継続しているにもかかわらず、番組再生装置で番組本編が始まってしまったり、第２の広告の再生が終了したあと、番組本編が始まるまでの待機時間が長くなったりするという事態を避けることができるという効果を奏する。
【０１２９】
本発明の態様７に係る番組再生装置は、上記態様１から６の何れか１つの態様に係る広告再生装置とともに動作するものである。
【０１３０】
上記の構成によれば、上記番組再生装置は、広告の再生中に、その広告とは異なる広告を広告再生装置に再生させることができるという効果を奏する。
【０１３１】
また、上記広告再生装置および上記番組再生装置は、コンピュータによって実現してもよく、この場合には、コンピュータを上記各手段として動作させることにより広告再生装置および番組再生装置をコンピュータにて実現させる広告再生装置および番組再生装置の制御プログラム、およびそれを記録したコンピュータ読み取り可能な記録媒体も、本発明の範疇に入る。
【０１３２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１３３】
本発明に係る広告再生装置は、広告を再生する機能を備えた情報処理装置に適用することができる。特に、スマートフォン、携帯電話、タブレットＰＣ、テレビジョン受像機のリモートコントローラなどの様々な情報処理装置に幅広く適用することができる。
【符号の説明】
【０１３４】
１  スマートフォン（広告再生装置）
２１  再生位置取得部（再生位置情報取得手段）
２２  テレビメタ情報取得部（タイムスケジュール情報取得手段）
２３  広告要求情報送信部（広告取得手段）
２４  広告取得部（広告取得手段）
２５  広告再生時間管理部（広告再生手段）
２６  広告再生処理部（広告再生手段）
２７  広告置換情報送信部（広告送信手段）
３２  ユーザ属性情報（嗜好情報）
１００  テレビ装置（番組再生装置）
５０１  録画番組（放送番組）
５０２  新ＣＭ（第２の広告）
５０３  旧ＣＭ（第１の広告）
Ｍ３  テレビメタ情報（タイムスケジュール情報）
Ｍ６  再生位置（再生位置情報）
【図１】
2014204401.tif 000003
【図２】
2014204401.tif 000004
【図３】
2014204401.tif 000005
【図４】
2014204401.tif 000006
【図５】
2014204401.tif 000007
【図６】
2014204401.tif 000008
【図７】
2014204401.tif 000009
【図８】
2014204401.tif 000010
【図９】
2014204401.tif 000011